(57)【特許請求の範囲】
【請求項１】
印刷処理後であって製本処理前に後処理を不要とする後処理不要ページと、後処理を必要とする後処理必要ページと、を含む印刷データを取得する取得手段と、
前記後処理必要ページを印刷した用紙に後処理を施した後処理済み用紙が給紙部に供給された後に、前記印刷データに含まれる前記後処理不要ページの印刷を実行するように制御する印刷制御手段と、
前記印刷データにおける前記後処理不要ページに対しては、当該後処理不要ページを印刷した用紙を製本装置の集積部に搬送するように制御する第１搬送制御手段と、
前記印刷データにおける前記後処理必要ページに対しては、前記給紙部に供給された前記後処理済み用紙を前記製本装置の集積部に搬送するように制御する第２搬送制御手段と、
前記印刷データに基づく印刷が終了した後に、前記製本装置の集積部に搬送された用紙に製本処理を実行するように制御する製本制御手段と、を含む
ことを特徴とする製本制御装置。
【請求項２】
前記印刷制御手段は、前記印刷データに含まれる前記後処理不要ページの印刷の前に、前記印刷データに含まれる全ての後処理必要ページの印刷と後処理を実行するように制御する
ことを特徴とする請求項１に記載の製本制御装置。
【請求項３】
前記印刷制御手段は、前記印刷データに含まれる前記後処理不要ページの印刷の前に、指定された部数ごとに、前記印刷データに含まれる全ての後処理必要ページの印刷と後処理を実行するように制御する
ことを特徴とする請求項２に記載の製本制御装置。
【請求項４】
前記印刷制御手段は、前記後処理済み用紙の前記製本装置の集積部への搬送が失敗した場合に、前記印刷データに基づく処理を一時停止するとともに、当該失敗に係る後処理必要ページの印刷と後処理を再実行させ、当該再実行の結果得られた用紙が前記給紙部に供給された後に、前記処理を再開する
ことを特徴とする請求項１乃至３のいずれかに記載の製本制御装置。
【請求項５】
前記印刷制御手段は、前記印刷データに含まれる全ての後処理必要ページの印刷と後処理を実行させた後に、前記印刷データに基づく処理を一時停止させ、前記後処理必要ページを印刷した用紙に後処理を施した後処理済み用紙が前記給紙部に供給された後に、前記印刷データに基づく処理を再開し、前記印刷データに含まれる前記後処理不要ページの印刷を実行するように制御する
ことを特徴とする請求項１乃至４のいずれかに記載の製本制御装置。
【請求項６】
前記印刷データに含まれる全ての後処理必要ページの印刷と後処理を実行させた後に、前記印刷データに基づく処理を終了させるとともに、前記印刷データに基づく新たな印刷データを生成する印刷データ生成手段をさらに含み、
前記印刷制御手段は、前記後処理必要ページを印刷した用紙に後処理を施した後処理済み用紙が前記給紙部に供給された後に、前記新たな印刷データに基づいて、当該印刷データに含まれる前記後処理不要ページの印刷を実行するように制御する
ことを特徴とする請求項１乃至４のいずれかに記載の製本制御装置。
【請求項７】
印刷処理後であって製本処理前に後処理を不要とする後処理不要ページと、後処理を必要とする後処理必要ページと、を含む印刷データを取得する取得手段と、
前記後処理必要ページを印刷した用紙に後処理を施した後処理済み用紙が給紙部に供給された後に、前記印刷データに含まれる前記後処理不要ページの印刷を実行するように制御する印刷制御手段と、
前記印刷データにおける前記後処理不要ページに対しては、当該後処理不要ページを印刷した用紙を製本装置の集積部に搬送するように制御する第１搬送制御手段と、
前記印刷データにおける前記後処理必要ページに対しては、前記給紙部に供給された前記後処理済み用紙を前記製本装置の集積部に搬送するように制御する第２搬送制御手段と、
前記印刷データに基づく印刷が終了した後に、前記製本装置の集積部に搬送された用紙に製本処理を実行するように制御する製本制御手段
としてコンピュータを機能させるためのプログラム。
【請求項８】
印刷装置と、製本装置と、後処理装置と、給紙装置を含み、
前記印刷装置は、
印刷処理後であって製本処理前に後処理を不要とする後処理不要ページと、後処理を必要とする後処理必要ページと、を含む印刷データを取得する取得手段と、
前記後処理必要ページを印刷した用紙に前記後処理装置により後処理を施した後処理済み用紙が前記給紙装置に供給された後に、前記印刷データに含まれる前記後処理不要ページの印刷を実行するように制御する印刷制御手段と、
前記印刷データにおける前記後処理不要ページに対しては、当該後処理不要ページを印刷した用紙を前記製本装置の集積部に搬送するように制御する第１搬送制御手段と、
前記印刷データにおける前記後処理必要ページに対しては、前記給紙装置に供給された前記後処理済み用紙を前記製本装置の集積部に搬送するように制御する第２搬送制御手段と、を含み、
前記製本装置は、
前記印刷データに基づく印刷が終了した後に、前記製本装置の集積部に搬送された用紙に製本処理を実行する製本手段を含む、
ことを特徴とする製本システム。
【発明の詳細な説明】
【技術分野】
【０００１】
本発明は、製本制御装置、プログラム及び製本システムに関する。
【背景技術】
【０００２】
印刷装置により印刷された印刷物に製本処理を施すことがある。印刷物を製本する場合に、印刷物の中に異なるサイズの用紙が含まれるときには、大きいサイズの用紙を小さいサイズの用紙のサイズに収まるように折る処理（例えばＺ折り処理）を施した後に製本することがある。
【０００３】
ここで、例えば、製本を行う製本装置の後段に、折り処理を行う後処理装置が接続される場合には、折り処理を施した後の用紙を、製本装置に搬送させることができない。そうした場合には、下記の特許文献１に記載されているように、印刷及び後処理を実行した後に、印刷及び後処理後の用紙（本文用紙束）を製本装置の集積位置まで運んで製本処理を実行していた。印刷枚数が多い場合には本文用紙束の重量が増大し、利用者の大きな負担となっていた。
【先行技術文献】
【特許文献】
【０００４】
【特許文献１】特開２００９−９１１３１号公報
【発明の概要】
【発明が解決しようとする課題】
【０００５】
本発明の目的の一つは、印刷後に後処理を施す印刷物と後処理を施さない印刷物の両方を製本装置に移動させる場合に比べて、印刷物を製本装置に移動させる労力を軽減できる製本制御装置、プログラム及び製本システムを提供することにある。
【課題を解決するための手段】
【０００６】
上記目的を達成するために、請求項１に記載の発明は、印刷処理後であって製本処理前に後処理を不要とする後処理不要ページと、後処理を必要とする後処理必要ページと、を含む印刷データを取得する取得手段と、前記後処理必要ページを印刷した用紙に後処理を施した後処理済み用紙が給紙部に供給された後に、前記印刷データに含まれる前記後処理不要ページの印刷を実行するように制御する印刷制御手段と、前記印刷データにおける前記後処理不要ページに対しては、当該後処理不要ページを印刷した用紙を製本装置の集積部に搬送するように制御する第１搬送制御手段と、前記印刷データにおける前記後処理必要ページに対しては、前記給紙部に供給された前記後処理済み用紙を前記製本装置の集積部に搬送するように制御する第２搬送制御手段と、前記印刷データに基づく印刷が終了した後に、前記製本装置の集積部に搬送された用紙に製本処理を実行するように制御する製本制御手段と、を含むことを特徴とする製本制御装置である。
【０００７】
また、請求項２に記載の発明は、前記印刷制御手段は、前記印刷データに含まれる前記後処理不要ページの印刷の前に、前記印刷データに含まれる全ての後処理必要ページの印刷と後処理を実行するように制御することを特徴とする請求項１に記載の製本制御装置である。
【０００８】
また、請求項３に記載の発明は、前記印刷制御手段は、前記印刷データに含まれる前記後処理不要ページの印刷の前に、指定された部数ごとに、前記印刷データに含まれる全ての後処理必要ページの印刷と後処理を実行するように制御することを特徴とする請求項２に記載の製本制御装置である。
【０００９】
また、請求項４に記載の発明は、前記印刷制御手段は、前記後処理済み用紙の前記製本装置の集積部への搬送が失敗した場合に、前記印刷データに基づく処理を一時停止するとともに、当該失敗に係る後処理必要ページの印刷と後処理を再実行させ、当該再実行の結果得られた用紙が前記給紙部に供給された後に、前記処理を再開することを特徴とする請求項１乃至３のいずれかに記載の製本制御装置である。
【００１０】
また、請求項５に記載の発明は、前記印刷制御手段は、前記印刷データに含まれる全ての後処理必要ページの印刷と後処理を実行させた後に、前記印刷データに基づく処理を一時停止させ、前記後処理必要ページを印刷した用紙に後処理を施した後処理済み用紙が前記給紙部に供給された後に、前記印刷データに基づく処理を再開し、前記印刷データに含まれる前記後処理不要ページの印刷を実行するように制御することを特徴とする請求項１乃至４のいずれかに記載の製本制御装置である。
【００１１】
また、請求項６に記載の発明は、前記印刷データに含まれる全ての後処理必要ページの印刷と後処理を実行させた後に、前記印刷データに基づく処理を終了させるとともに、前記印刷データに基づく新たな印刷データを生成する印刷データ生成手段をさらに含み、前記印刷制御手段は、前記後処理必要ページを印刷した用紙に後処理を施した後処理済み用紙が前記給紙部に供給された後に、前記新たな印刷データに基づいて、当該印刷データに含まれる前記後処理不要ページの印刷を実行するように制御することを特徴とする請求項１乃至４のいずれかに記載の製本制御装置である。
【００１２】
また、請求項７に記載の発明は、印刷処理後であって製本処理前に後処理を不要とする後処理不要ページと、後処理を必要とする後処理必要ページと、を含む印刷データを取得する取得手段と、前記後処理必要ページを印刷した用紙に後処理を施した後処理済み用紙が給紙部に供給された後に、前記印刷データに含まれる前記後処理不要ページの印刷を実行するように制御する印刷制御手段と、前記印刷データにおける前記後処理不要ページに対しては、当該後処理不要ページを印刷した用紙を製本装置の集積部に搬送するように制御する第１搬送制御手段と、前記印刷データにおける前記後処理必要ページに対しては、前記給紙部に供給された前記後処理済み用紙を前記製本装置の集積部に搬送するように制御する第２搬送制御手段と、前記印刷データに基づく印刷が終了した後に、前記製本装置の集積部に搬送された用紙に製本処理を実行するように制御する製本制御手段としてコンピュータを機能させるためのプログラムである。
【００１３】
また、請求項８に記載の発明は、印刷装置と、製本装置と、後処理装置と、給紙装置を含み、前記印刷装置は、印刷処理後であって製本処理前に後処理を不要とする後処理不要ページと、後処理を必要とする後処理必要ページと、を含む印刷データを取得する取得手段と、前記後処理必要ページを印刷した用紙に前記後処理装置により後処理を施した後処理済み用紙が前記給紙装置に供給された後に、前記印刷データに含まれる前記後処理不要ページの印刷を実行するように制御する印刷制御手段と、前記印刷データにおける前記後処理不要ページに対しては、当該後処理不要ページを印刷した用紙を前記製本装置の集積部に搬送するように制御する第１搬送制御手段と、前記印刷データにおける前記後処理必要ページに対しては、前記給紙装置に供給された前記後処理済み用紙を前記製本装置の集積部に搬送するように制御する第２搬送制御手段と、を含み、前記製本装置は、前記印刷データに基づく印刷が終了した後に、前記製本装置の集積部に搬送された用紙に製本処理を実行する製本手段を含む、ことを特徴とする製本システムである。
【発明の効果】
【００１４】
請求項１、７及び８に記載の発明によれば、印刷後に後処理を施す印刷物と後処理を施さない印刷物の両方を製本装置に移動させる場合に比べて、印刷物を製本装置に移動させる労力を軽減できる。
【００１５】
請求項２に記載の発明によれば、印刷データの受け付けから製本までを一連の処理として実行できる。
【００１６】
請求項３に記載の発明によれば、複数部数の製本を実行できる。
【００１７】
請求項４に記載の発明によれば、本構成を有しない場合と比較して、製本の品質を向上できる。
【００１８】
請求項５に記載の発明によれば、後処理を施す用紙の出力と、製本とを１つのジョブとして処理できる。
【００１９】
請求項６に記載の発明によれば、後処理を施す用紙の出力と、製本とを別のタイミングで処理できる。
【図面の簡単な説明】
【００２０】
【図１】本実施形態に係る製本システムの全体構成図である。
【図２】Ｚ折りを説明する図である。
【図３】くるみ製本を説明する図である。
【図４】製本装置の概要構成図である。
【図５】クライアント装置のハードウェア構成の一例を示す図である。
【図６】プリンタのハードウェア構成の一例を示す図である。
【図７】給紙装置のハードウェア構成の一例を示す図である。
【図８】製本装置のハードウェア構成の一例を示す図である。
【図９】後処理装置のハードウェア構成の一例を示す図である。
【図１０】印刷ジョブテーブルの一例を示す図である。
【図１１】第１の実施例に係る製本処理の流れを説明するフローチャートである。
【図１２】第１の実施例に係る製本処理の流れを説明するフローチャートである。
【図１３】第２の実施例に係る製本処理の流れを説明するフローチャートである。
【図１４】第２の実施例に係る製本処理の流れを説明するフローチャートである。
【図１５】第３の実施例に係る製本処理の流れを説明するフローチャートである。
【図１６】第３の実施例に係る製本処理の流れを説明するフローチャートである。
【発明を実施するための形態】
【００２１】
以下、本発明を実施するための実施の形態（以下、実施形態という）を、図面に従って説明する。
【００２２】
図１には、本実施形態に係る製本システム１の全体構成図を示した。図１に示されるように、製本システム１は、クライアント装置１０、プリンタ２０、給紙装置５０、製本装置３０、後処理装置４０を含む。本実施形態では、プリンタ２０、給紙装置５０、製本装置３０、後処理装置４０のそれぞれの用紙搬送路がこの順序で連結されており、プリンタ２０で画像形成（印刷）が行われた用紙は給紙装置５０から製本装置３０に、又は製本装置３０内部の搬送路を通って後処理装置４０に搬送される。また、製本に用いられる用紙は、給紙装置５０から製本装置３０に搬送されるものと、プリンタ２０で印刷されてから給紙装置５０を通って製本装置３０に搬送されるものとがある。
【００２３】
クライアント装置１０は、プリンタ２０に印刷処理を要求するコンピュータである。本実施形態では、クライアント装置１０からは、製本が指定された印刷データがプリンタ２０に向けて送信されることとするが、印刷データには製本の指定がされているものとされていないものとが混在していてもよい。
【００２４】
プリンタ２０は、クライアント装置１０から受信した印刷データに基づいて印刷処理及び製本処理を制御する。印刷処理及び製本処理の詳細については後述する。
【００２５】
給紙装置５０は、後処理装置４０により後処理された用紙を集積するトレイ（後処理用紙挿入トレイ５０６）を備え、トレイに集積された用紙をプリンタ２０の指示に基づいて製本装置３０に搬送する。給紙装置５０の用紙搬送処理の詳細については後述する。
【００２６】
後処理装置４０は、プリンタ２０により印刷された用紙を、製本装置３０内部の搬送路を介して取得し、取得した用紙について指定された後処理を実行する。
【００２７】
本実施形態では、後処理装置４０で行われる処理は、図２に示される、所謂Ｚ折りと呼ばれる折り処理である。Ｚ折りとは、用紙の長辺に対して谷折り（又は山折り）した後に、谷折り（又は山折り）した部分に対して山折り（又は谷折り）を施す折り方である。例えば、Ａ３の用紙の長辺がＡ４の用紙の短辺の長さ以下となるようにＺ折りした場合には、Ｚ折りした後のＡ３の用紙はＡ４の用紙と重ねた場合に、はみ出さないようになる。
【００２８】
製本装置３０は、プリンタ２０により印刷された用紙、及び後処理装置４０により後処理が行われた用紙を製本する。以下、本実施形態における製本処理の具体例について説明する。
【００２９】
本実施形態では、製本装置３０は、図３に示される、所謂くるみ製本と呼ばれる製本処理を実行する。くるみ製本とは、所謂くるみ表紙と呼ばれる、中央にのり付け部分が設けられた表紙ページに、Ｚ折りページと、Ｚ折りをしていない通常ページとを予め定められた順序で並べた本文用紙束を接着させる製本方式である。表紙ページと本文用紙束との接着には、のり等の接着剤を用いることとしてよい。
【００３０】
ここで、製本装置３０による製本処理の流れを、図４に示した製本装置３０の概要構成図を参照しながら説明する。
【００３１】
図４に示されるように、プリンタ２０で印刷された用紙は、給紙装置５０を介して搬送路３５０Ａにより製本装置３０に向けて搬送される。ここで、印刷された用紙のうち表紙ページについては、搬送路３５０Ａ、搬送路３５０Ｂ、搬送路３５０Ｃを介して表紙用トレイ３０８に出力される。また、印刷された用紙のうち後処理装置４０による後処理が必要なページ（後処理必要ページ）であって、後処理が未だ行われていない用紙については、搬送路３５０Ａ、搬送路３５０Ｂ、搬送路３５０Ｄを介して後処理装置４０に出力される。そして、印刷された用紙のうち後処理が不要なページ（後処理必要ページ）と、後処理が行われた用紙については、搬送路３５０Ａ、搬送路３５０Ｅを介して集積トレイ３１０に出力される。
【００３２】
次に、製本装置３０は、集積トレイ３１０に配置された、後処理必要ページと後処理不要ページとが予め定められた順番で並べられた本文用紙束をのり付け部３６２に搬送するとともに、表紙用トレイ３０８から表紙ページをのり付け部３６２に搬送して、本文用紙束と表紙ページとをのり付け部３６２において接着後、断裁部３６４で断裁処理を施して、製本出力トレイ３１４に出力する。
【００３３】
次に、クライアント装置１０、プリンタ２０、給紙装置５０、製本装置３０、後処理装置４０のそれぞれのハードウェアの構成例について順に説明する。
【００３４】
図５には、クライアント装置１０のハードウェア構成の一例を示した。図５に示されるように、クライアント装置１０は、制御部１００、記憶部１０２、通信部１０４、入力制御部１０６、表示制御部１０８を備える。
【００３５】
制御部１００は、ＣＰＵ（Central Processing Unit）を含み、記憶部１０２に記憶されたプログラムに基づいて、各種の演算処理を実行するとともにクライアント装置１０の各部を制御する。
【００３６】
記憶部１０２は、クライアント装置１０のオペレーティングシステム等の制御プログラムやデータを記憶するほか、制御部１００のワークメモリとしても用いられる。プログラムは、光ディスク、磁気ディスク、磁気テープ、光磁気ディスク、フラッシュメモリ等の情報記憶媒体に格納された状態でクライアント装置１０に供給されてもよいし、インターネット等のデータ通信手段を介してクライアント装置１０に供給されてもよい。
【００３７】
通信部１０４は、ネットワークカードやシリアル通信カード等の通信インターフェースにより他の装置（例えばプリンタ２０等）とデータ通信する。本実施形態では、クライアント装置１０の通信部１０４が、プリンタ２０の通信部２０４とデータ通信する。
【００３８】
入力制御部１０６は、マウスやキーボード等の入力装置と接続し、ユーザからの操作入力を受け付ける。
【００３９】
表示制御部１０８は、クライアント装置１０に内蔵、又は外部接続された液晶ディスプレイ等の表示装置と接続し、表示装置にクライアント装置１０における情報処理の結果（画面）を表示させる。
【００４０】
次に、プリンタ２０の構成について説明する。図６には、プリンタ２０のハードウェア構成の一例を示した。図６に示されるように、プリンタ２０は、制御部２００、記憶部２０２、通信部２０４、画像形成部２０８、給紙部２１０、搬送部２１２、操作パネル部２１４を備える。
【００４１】
制御部２００は、ＣＰＵ（Central Processing Unit）を含み、記憶部２０２に記憶されたプログラムに基づいて、各種の演算処理を実行するとともにプリンタ２０の各部を制御する。
【００４２】
記憶部２０２は、プリンタ２０の制御プログラムやデータを記憶するほか、制御部２００のワークメモリとしても用いられる。プログラムは、光ディスク、磁気ディスク、磁気テープ、光磁気ディスク、フラッシュメモリ等の情報記憶媒体に格納された状態でプリンタ２０に供給されてもよいし、インターネット等のデータ通信手段を介してプリンタ２０に供給されてもよい。
【００４３】
通信部２０４は、ネットワークカードやシリアル通信カード等の通信インターフェースにより他の装置（例えばクライアント装置１０、製本装置３０、後処理装置４０、給紙装置５０等）とデータ通信する。本実施形態では、プリンタ２０の通信部２０４が、クライアント装置１０の通信部１０４、製本装置３０の通信部３０４、後処理装置４０の通信部４０４、給紙装置５０の通信部Ｅとそれぞれデータ通信する。
【００４４】
画像形成部２０８は、制御部２００から入力される画像形成命令（印刷ジョブ）に従って、給紙部２１０から供給された印刷媒体（印刷用紙）上に画像を形成するものである。例えば、画像形成部２０８は、レーザプリンタ方式により画像を形成してもよいし、インクジェットプリンタ方式により画像を形成することとしてもよい。
【００４５】
給紙部２１０は、１又は複数のトレイＴ１〜Ｔｎ（ｎは自然数）を含み、指定された印刷媒体（印刷用紙）を格納したトレイから印刷媒体を取り出して、画像形成部２０８や搬送部に供給する。例えば、トレイＴ１〜Ｔｎには、用紙サイズ（例えばＡ３，Ａ４等）ごとのトレイ、色付き用紙のトレイ等が含まれることとしてよい。なお、給紙部２１０はプリンタ２０に内蔵されていてもよいし、プリンタ２０の外部に設けられていてもよい。
【００４６】
搬送部２１２は、画像形成部２０８で画像が形成された印刷用紙を搬送する。例えば、搬送部２１２は、画像形成部２０８により画像形成が行われた印刷媒体を搬送したり、給紙部２１０から供給された印刷媒体を搬送したりする。本実施形態では、プリンタ２０の搬送部２１２は、給紙装置５０の搬送部５０８と接続されており、搬送部５０８に印刷媒体を送り出す。
【００４７】
操作パネル部２１４は、液晶ディスプレイ等の表示装置と、ボタン式やタッチパネル式等の入力装置とを備えた表示機能付き入力装置である。操作パネル部２１４は、プリンタ２０を操作するユーザとの対話型インターフェースとして機能する。
【００４８】
次に、給紙装置５０の構成について説明する。図７には、給紙装置５０のハードウェア構成の一例を示した。図７に示されるように、給紙装置５０は、制御部５００、記憶部５０２、通信部５０４、後処理用紙挿入トレイ５０６、搬送部５０８を備える。
【００４９】
制御部５００は、ＣＰＵ（Central Processing Unit）を含み、記憶部５０２に記憶されたプログラムに基づいて、各種の演算処理を実行するとともに給紙装置５０の各部を制御する。
【００５０】
記憶部５０２は、給紙装置５０の制御プログラムやデータを記憶するほか、制御部５００のワークメモリとしても用いられる。プログラムは、光ディスク、磁気ディスク、磁気テープ、光磁気ディスク、フラッシュメモリ等の情報記憶媒体に格納された状態で給紙装置５０に供給されてもよいし、インターネット等のデータ通信手段を介して給紙装置５０に供給されてもよい。
【００５１】
通信部５０４は、ネットワークカードやシリアル通信カード等の通信インターフェースにより他の装置（例えばプリンタ２０、製本装置３０等）とデータ通信する。本実施形態では、給紙装置５０の通信部５０４が、プリンタ２０の通信部２０４や、製本装置３０の通信部３０４とデータ通信する。
【００５２】
搬送部５０８は、プリンタ２０から搬送された印刷用紙や、後処理用紙挿入トレイ５０６に集積された用紙を製本装置３０に搬送する。例えば、搬送部５０８は、プリンタ２０から搬送された印刷用紙についてはそのまま製本装置３０に搬送し、プリンタ２０から後処理用紙挿入トレイ５０６に集積された用紙の搬送指示を受け付けた場合には、後処理用紙挿入トレイ５０６に集積された用紙を一枚取り込み、取り込んだ用紙を製本装置３０に搬送する。
【００５３】
後処理用紙挿入トレイ５０６は、後処理装置により後処理を終えた用紙（後処理済み用紙）を集積するトレイである。
【００５４】
次に、製本装置３０の構成について説明する。図８には、製本装置３０のハードウェア構成の一例を示した。図８に示されるように、製本装置３０は、制御部３００、記憶部３０２、通信部３０４、搬送部３０６、表紙用トレイ３０８、集積トレイ３１０、製本部３１２、製本出力トレイ３１４を備える。
【００５５】
制御部３００は、ＣＰＵ（Central Processing Unit）を含み、記憶部３０２に記憶されたプログラムに基づいて、各種の演算処理を実行するとともに製本装置３０の各部を制御する。
【００５６】
記憶部３０２は、製本装置３０の制御プログラムやデータを記憶するほか、制御部３００のワークメモリとしても用いられる。プログラムは、光ディスク、磁気ディスク、磁気テープ、光磁気ディスク、フラッシュメモリ等の情報記憶媒体に格納された状態で製本装置３０に供給されてもよいし、インターネット等のデータ通信手段を介して製本装置３０に供給されてもよい。
【００５７】
通信部３０４は、ネットワークカードやシリアル通信カード等の通信インターフェースにより他の装置（例えばプリンタ２０、後処理装置４０、給紙装置５０等）とデータ通信する。本実施形態では、製本装置３０の通信部３０４が、プリンタ２０の通信部２０４や、後処理装置４０の通信部４０４、給紙装置５０の通信部５０４とデータ通信する。
【００５８】
搬送部３０６は、給紙装置５０から搬送された印刷用紙を、製本装置３０の表紙用トレイ３０８や集積トレイ３１０に搬送したり、後処理装置４０に搬送したりする。例えば、搬送部３０６は、給紙装置５０から搬送された印刷用紙が表紙ページである場合には表紙用トレイ３０８に搬送し、給紙装置５０から搬送された印刷用紙が後処理不要ページ又は後処理必要ページであって後処理が完了しているものについては集積トレイ３１０に搬送する。一方で、搬送部３０６は、プリンタ２０から搬送された印刷用紙が後処理必要ページであって後処理が未完了なものについては、印刷用紙を後処理装置４０に送り出す。
【００５９】
表紙用トレイ３０８は、製本の表紙とする媒体（紙）を集積するトレイである。
【００６０】
集積トレイ３１０は、製本の本文とする媒体（紙）を集積するトレイである。
【００６１】
製本部３１２は、表紙用トレイ３０８に集積された媒体を表紙、集積トレイ３１０に集積された媒体を本文（本文用紙束）とした製本処理を実行する。製本処理の具体的な流れは上述した通りであるため、ここでは省略する。
【００６２】
製本出力トレイ３１４は、製本部３１２による成果物（本）を積載するトレイである。
【００６３】
次に、後処理装置４０の構成について説明する。図９には、後処理装置４０のハードウェア構成の一例を示した。図９に示されるように、後処理装置４０は、制御部４００、記憶部４０２、通信部４０４、搬送部４０６、後処理部４０８、後処理出力トレイ４１０を備える。
【００６４】
制御部４００は、ＣＰＵ（Central Processing Unit）を含み、記憶部４０２に記憶されたプログラムに基づいて、各種の演算処理を実行するとともに後処理装置４０の各部を制御する。
【００６５】
記憶部４０２は、後処理装置４０の制御プログラムやデータを記憶するほか、制御部４００のワークメモリとしても用いられる。プログラムは、光ディスク、磁気ディスク、磁気テープ、光磁気ディスク、フラッシュメモリ等の情報記憶媒体に格納された状態で後処理装置４０に供給されてもよいし、インターネット等のデータ通信手段を介して後処理装置４０に供給されてもよい。
【００６６】
通信部４０４は、ネットワークカードやシリアル通信カード等の通信インターフェースにより他の装置（例えばプリンタ２０、製本装置３０等）とデータ通信する。本実施形態では、後処理装置４０の通信部４０４が、プリンタ２０の通信部２０４や、製本装置３０の通信部３０４とそれぞれデータ通信する。
【００６７】
搬送部４０６は、製本装置３０の搬送部３０６と接続されており、製本装置３０の搬送部３０６から搬送された印刷用紙を後処理部４０８に搬送する。
【００６８】
後処理部４０８は、搬送部４０６から搬送された印刷媒体に対して、指定された後処理を施す。本実施形態では、後処理部４０８は、搬送された印刷媒体にＺ折りを施した後に、Ｚ折り後の印刷媒体を後処理出力トレイ４１０に排紙する。
【００６９】
後処理出力トレイ４１０は、後処理部４０８により後処理が施された印刷媒体（すなわちＺ折りが行われた用紙）を集積するトレイである。
【００７０】
次に、製本システム１において行われる第１の実施例に係る製本処理の流れを、図１１及び図１２に示したフローチャートを参照しながら説明する。第１の実施例は、１部の製本を実行する処理であって、後処理必要ページの印刷処理、後処理、後処理不要ページの印刷処理、製本処理を１つの印刷ジョブに基づいて実行する例を説明したものである。
【００７１】
図１１に示されるように、プリンタ２０は、クライアント装置１０から印刷ジョブを取得し（Ｓ１００１）、取得した印刷ジョブを解析する（Ｓ１００２）。プリンタ２０は、例えば、印刷ジョブの製本指定の有無や、印刷ジョブで印刷される各ページの属性（表紙、Ｚ折り指定の有無、印刷サイズ等）、各ページのリップデータ等の情報を取得することとしてよい。プリンタ２０は、Ｓ１００２における解析結果に基づいて、後述する、印刷ジョブの処理状態を示す印刷ジョブテーブルを作成し、プリンタ２０の記憶部２０２に記憶することとしてよい。
【００７２】
図１０には、印刷ジョブテーブルの一例を示した。図１０に示されるように、印刷ジョブテーブルには、印刷ジョブを識別する印刷ジョブＩＤと、印刷ジョブで印刷されるページごとのページ属性、出力先、処理済みフラグが関連付けて記憶される。例えば、出力先は、ページを排紙する装置及びトレイを示す情報であり、処理済みフラグは、ページを出力したか否かを示す情報である。なお、処理済みフラグは、デフォルトでは未処理（Ｆ）となっており、処理が行われた場合に処理済み（Ｔ）に変更される。
【００７３】
プリンタ２０は、印刷ジョブに製本指定が無い場合には（Ｓ１００３：Ｎ）、通常印刷を実行し（Ｓ１００４）、処理を終了する。一方で、プリンタ２０は、印刷ジョブに製本指定が有る場合には（Ｓ１００３：Ｙ）、以下の処理を実行する。
【００７４】
プリンタ２０は、印刷ジョブに基づき印刷されるページＰｉ（ｉ＝１〜Ｋの整数でｉの初期値＝１）を選択し（Ｓ１００５）、Ｐｉが後処理対象であるときには（Ｓ１００６：Ｙ）、Ｐｉを印刷するとともに（Ｓ１００７）、印刷したＰｉを後処理装置４０に搬送する。なお、Ｐｉが後処理対象か否かは、Ｐｉのサイズが予め定められたサイズよりも大きいか否か（大きい場合には後処理対象）により判定することとしてよい。
【００７５】
後処理装置４０は、搬送されたＰｉに折り処理を施した後に（Ｓ１００８）、折り処理をしたＰｉを後処理出力トレイ４１０に排紙する。なお、後処理装置４０は、Ｓ１００８の処理の結果が正常終了でない場合には（Ｓ１００９：Ｎ）、Ｓ１００７に戻り、Ｓ１００８の処理の結果が正常終了である場合には（Ｓ１００９：Ｙ）、例えば図１０に示される印刷ジョブテーブルにおけるＰｉの処理済みフラグを処理済み（Ｔ）に更新する（Ｓ１０１０）。
【００７６】
プリンタ２０は、Ｐｉが後処理対象でない場合（Ｓ１００６：Ｎ）、又はＳ１０１０の後に、Ｐｉの次のページがあるか否か（すなわちｉ＝Ｋであるか否か）を判定し（Ｓ１０１１）、次のページがある場合には（Ｓ１０１１：Ｙ）、ｉをインクリメントして（Ｓ１０１２）、Ｓ１００６に戻りそれ以降の処理を繰り返す。一方で、Ｓ１０１１において、次のページがない場合には（Ｓ１０１１：Ｎ）、ユーザに後処理装置４０の後処理出力トレイ４１０に排紙された折り処理済みの用紙束を、給紙装置５０の後処理用紙挿入トレイ５０６に移動させる旨を指示して、印刷ジョブの処理を一時停止する。そして、ユーザにより後処理用紙挿入トレイ５０６に折り処理済みの用紙束が配置された後に、ユーザから処理再開の入力を受け付けると、プリンタ２０は印刷ジョブの処理を再開し、図１２のフローに進む。図１１に示したフローからも明らかなように、後処理不要ページの印刷の前には、全ての後処理必要ページの印刷と後処理が実行される。
【００７７】
図１２に示されるように、プリンタ２０は、印刷ジョブテーブルを参照するとともに（Ｓ２００１）、印刷ジョブに基づき印刷されるページＰｉ（ｉ＝１〜Ｋの整数でｉの初期値＝１）を選択する（Ｓ２００２）。
【００７８】
ここで、プリンタ２０は、印刷ジョブテーブルにおいてＰｉが印刷済みでない場合には（Ｓ２００３：Ｎ）、Ｐｉを印刷するとともに（Ｓ２００４）、印刷したＰｉを製本装置３０に搬送する（Ｓ２００５）。例えば、Ｐｉが表紙であれば製本装置３０の表紙用トレイ３０８に搬送し、Ｐｉが折り処理不要ページであれば製本装置３０の集積トレイ３１０に搬送することとしてよい。ここで、Ｓ２００４及びＳ２００５の処理の結果が、正常終了でない場合には（Ｓ２００６：Ｎ）、Ｓ２００４に戻り、正常終了となるまで（Ｓ２００６：Ｙ）、処理を実行する。
【００７９】
次に、プリンタ２０は、印刷ジョブテーブルにおいてＰｉが印刷済みである場合には（Ｓ２００３：Ｙ）、給紙装置５０の後処理用紙挿入トレイ５０６に集積されている用紙を１枚取り込み（Ｓ２００７）、取り込んだ用紙を製本装置３０の集積トレイ３１０に搬送する（Ｓ２００８）。ここで、Ｓ２００７及びＳ２００８の処理の結果が、正常終了でない場合には（Ｓ２００９：Ｎ）、Ｐｉを印刷するとともに（Ｓ２０１０）、印刷したＰｉを後処理装置４０に搬送する。そして、後処理装置４０は、搬送されたＰｉに折り処理を施した後に（Ｓ２０１１）、折り処理をしたＰｉを後処理出力トレイ４１０に排紙する。ここで、プリンタ２０は、給紙装置５０の後処理用紙挿入トレイ５０６からＰｉを挿入することが可能でない場合には（Ｓ２０１２：Ｎ）、待機し、可能となった場合には（Ｓ２０１２：Ｙ）、Ｓ２００７に戻る。なお、Ｓ２０１２において、後処理用紙挿入トレイ５０６からＰｉを挿入することが可能となったか否かは、例えばプリンタ２０の操作パネル部２１４でユーザに問い合わせをしてそのユーザからの入力に基づいて判定することとしてもよいし、後処理用紙挿入トレイ５０６に用紙が置かれたことを検知するセンサーを設けてそのセンサーの検知結果に基づいて判定することとしてもよい。
【００８０】
プリンタ２０は、Ｓ２００４及びＳ２００５の処理の結果が、正常終了である場合（Ｓ２００６：Ｙ）、又はＳ２００７及びＳ２００８の処理の結果が、正常終了である場合に（Ｓ２００９：Ｙ）、Ｐｉの次のページがあるか否か（すなわちｉ＝Ｋであるか否か）を判定し（Ｓ２０１３）、次のページがある場合には（Ｓ２０１３：Ｙ）、ｉをインクリメントして（Ｓ２０１４）、Ｓ２００３に戻りそれ以降の処理を繰り返す。一方で、Ｓ２０１３において、次のページがない場合には（Ｓ２０１３：Ｎ）、製本装置３０に集積された用紙に対して製本処理を実行し（Ｓ２０１５）、処理を終了する。
【００８１】
次に、製本システム１において行われる第２の実施例に係る製本処理の流れを、図１３及び図１４に示したフローチャートを参照しながら説明する。第２の実施例は、１部の製本を実行する処理であって、後処理必要ページの印刷処理、後処理までを１つの印刷ジョブとして処理し、後処理不要ページの印刷処理、製本処理を他の印刷ジョブとして処理する例を説明したものである。
【００８２】
図１３に示されるように、プリンタ２０は、クライアント装置１０から第１の印刷ジョブを取得し（Ｓ３００１）、取得した第１の印刷ジョブを解析する（Ｓ３００２）。プリンタ２０は、例えば、印刷ジョブの製本指定の有無や、印刷ジョブで印刷される各ページの属性（表紙、Ｚ折り指定の有無、印刷サイズ等）、各ページのリップデータ等の情報を取得することとしてよい。
【００８３】
プリンタ２０は、第１の印刷ジョブに製本指定が無い場合には（Ｓ３００３：Ｎ）、通常印刷を実行し（Ｓ３００４）、処理を終了する。一方で、プリンタ２０は、第１の印刷ジョブに製本指定が有る場合には（Ｓ３００３：Ｙ）、以下の処理を実行する。
【００８４】
プリンタ２０は、第１の印刷ジョブに基づき印刷されるページＰｉ（ｉ＝１〜Ｋの整数でｉの初期値＝１）を選択し（Ｓ３００５）、Ｐｉが後処理対象であるときには（Ｓ３００６：Ｙ）、Ｐｉを印刷するとともに（Ｓ３００７）、印刷したＰｉを後処理装置４０に搬送する。
【００８５】
後処理装置４０は、搬送されたＰｉに折り処理を施した後に（Ｓ３００８）、折り処理をしたＰｉを後処理出力トレイ４１０に排紙する。なお、後処理装置４０は、Ｓ３００８の処理の結果が正常終了でない場合には（Ｓ３００９：Ｎ）、Ｓ３００７に戻る。
【００８６】
プリンタ２０は、Ｐｉが後処理対象でない場合（Ｓ３００６：Ｎ）、又はＳ３００８の処理の結果が正常終了である場合には（Ｓ３００９：Ｙ）、Ｐｉの次のページがあるか否か（すなわちｉ＝Ｋであるか否か）を判定し（Ｓ３０１０）、次のページがある場合には（Ｓ３０１０：Ｙ）、ｉをインクリメントして（Ｓ３０１２）、Ｓ３００６に戻りそれ以降の処理を繰り返す。一方で、Ｓ３０１０において、次のページがない場合には（Ｓ３０１１：Ｎ）、第１の印刷ジョブに基づいて第２の印刷ジョブを生成する（Ｓ３０１２）。第２の印刷ジョブは、第１の印刷ジョブに、後処理必要ページの処理が終了していることを示す属性を付与したデータとしてよい。そして、プリンタ２０は、第２の印刷ジョブを生成すると、第１の印刷ジョブの処理を終了する（Ｓ３０１３）。図１３に示したフローからも明らかなように、後処理不要ページの印刷の前には、全ての後処理必要ページの印刷と後処理が実行される。以下、第１の印刷ジョブに基づき後処理装置４０の後処理出力トレイ４１０に排紙された折り処理済みの用紙束が、ユーザにより後処理用紙挿入トレイ５０６に配置された後に行われる処理を説明する。
【００８７】
次に、図１４に示されるように、プリンタ２０は、クライアント装置１０から第２の印刷ジョブの処理指示を受け付けると、第２の印刷ジョブを取得し（Ｓ４００１）、第２の印刷ジョブに基づき印刷されるページＰｉ（ｉ＝１〜Ｋの整数でｉの初期値＝１）を選択する（Ｓ４００２）。
【００８８】
ここで、プリンタ２０は、Ｐｉが印刷済み（すなわち後処理必要ページ）でない場合には（Ｓ４００３：Ｎ）、Ｐｉを印刷するとともに（Ｓ４００４）、印刷したＰｉを製本装置３０に搬送する（Ｓ４００５）。例えば、Ｐｉが表紙であれば製本装置３０の表紙用トレイ３０８に搬送し、Ｐｉが折り処理不要ページであれば製本装置３０の集積トレイ３１０に搬送することとしてよい。ここで、Ｓ４００４及びＳ４００５の処理の結果が、正常終了でない場合には（Ｓ４００６：Ｎ）、Ｓ４００４に戻り、正常終了となるまで（Ｓ４００６：Ｙ）、処理を実行する。
【００８９】
次に、プリンタ２０は、Ｐｉが印刷済み（すなわち後処理必要ページ）である場合には（Ｓ４００３：Ｙ）、給紙装置５０の後処理用紙挿入トレイ５０６に集積されている用紙を１枚取り込み（Ｓ４００７）、取り込んだ用紙を製本装置３０の集積トレイ３１０に搬送する（Ｓ４００８）。ここで、Ｓ４００７及びＳ４００８の処理の結果が、正常終了でない場合には（Ｓ４００９：Ｎ）、Ｐｉを印刷するとともに（Ｓ４０１０）、印刷したＰｉを後処理装置４０に搬送する。そして、後処理装置４０は、搬送されたＰｉに折り処理を施した後に（Ｓ４０１１）、折り処理をしたＰｉを後処理出力トレイ４１０に排紙する。ここで、プリンタ２０は、給紙装置５０の後処理用紙挿入トレイ５０６からＰｉを挿入することが可能でない場合には（Ｓ４０１２：Ｎ）、待機し、可能となった場合には（Ｓ４０１２：Ｙ）、Ｓ４００７に戻る。なお、Ｓ４０１２において、後処理用紙挿入トレイ５０６からＰｉを挿入することが可能となったか否かは、例えばプリンタ２０の操作パネル部２１４でユーザに問い合わせをしてそのユーザからの入力に基づいて判定することとしてもよいし、後処理用紙挿入トレイ５０６に用紙が置かれたことを検知するセンサーを設けてそのセンサーの検知結果に基づいて判定することとしてもよい。
【００９０】
プリンタ２０は、Ｓ４００４及びＳ４００５の処理の結果が、正常終了である場合（Ｓ４００６：Ｙ）、又はＳ４００７及びＳ４００８の処理の結果が、正常終了である場合に（Ｓ４００９：Ｙ）、Ｐｉの次のページがあるか否か（すなわちｉ＝Ｋであるか否か）を判定し（Ｓ４０１３）、次のページがある場合には（Ｓ４０１３：Ｙ）、ｉをインクリメントして（Ｓ４０１４）、Ｓ４００３に戻りそれ以降の処理を繰り返す。一方で、Ｓ４０１３において、次のページがない場合には（Ｓ４０１３：Ｎ）、製本装置３０に集積された用紙に対して製本処理を実行し（Ｓ４０１５）、処理を終了する。
【００９１】
次に、製本システム１において行われる第３の実施例に係る製本処理の流れを、図１５及び図１６に示したフローチャートを参照しながら説明する。第３の実施例では、印刷ジョブに複数部数の製本指示が含まれていることとする。第３の実施例は、Ｎ部の製本を実行する処理であって、後処理必要ページの印刷処理、後処理、後処理不要ページの印刷処理、製本処理を１つの印刷ジョブに基づいて実行する処理に関する。
【００９２】
図１５に示されるように、プリンタ２０は、クライアント装置１０から印刷ジョブ（Ｎ部出力指示を含む）を取得し（Ｓ５００１）、取得した印刷ジョブを解析する（Ｓ５００２）。プリンタ２０は、例えば、印刷ジョブの製本指定の有無や、印刷ジョブで印刷される各ページの属性（表紙、Ｚ折り指定の有無、印刷サイズ等）、各ページのリップデータ等の情報を取得することとしてよい。プリンタ２０は、Ｓ５００２における解析結果に基づいて、例えば図１０に示した印刷ジョブの処理状態を示す印刷ジョブテーブルを作成し、プリンタ２０の記憶部２０２に記憶することとしてよい。
【００９３】
プリンタ２０は、印刷ジョブに製本指定が無い場合には（Ｓ５００３：Ｎ）、通常印刷を実行し（Ｓ５００４）、処理を終了する。一方で、プリンタ２０は、印刷ジョブに製本指定が有る場合には（Ｓ５００３：Ｙ）、以下の処理を実行する。
【００９４】
プリンタ２０は、印刷ジョブに基づき印刷されるページＰｉ（ｉ＝１〜Ｋの整数でｉの初期値＝１）を選択し（Ｓ５００５）、Ｐｉが後処理対象であるときには（Ｓ５００６：Ｙ）、Ｐｉを印刷するとともに（Ｓ５００７）、印刷したＰｉを後処理装置４０に搬送する。
【００９５】
後処理装置４０は、搬送されたＰｉに折り処理を施した後に（Ｓ５００８）、折り処理をしたＰｉを後処理出力トレイ４１０に排紙する。なお、後処理装置４０は、Ｓ５００８の処理の結果が正常終了でない場合には（Ｓ５００９：Ｎ）、Ｓ５００７に戻り、Ｓ５００８の処理の結果が正常終了である場合には（Ｓ５００９：Ｙ）、例えば図１０に示される印刷ジョブテーブルにおけるＰｉの処理済みフラグを処理済み（Ｔ）に更新する（Ｓ５０１０）。
【００９６】
プリンタ２０は、Ｐｉが後処理対象でない場合（Ｓ５００６：Ｎ）、又はＳ５０１０の後に、Ｐｉの次のページがあるか否か（すなわちｉ＝Ｋであるか否か）を判定し（Ｓ５０１１）、次のページがある場合には（Ｓ５０１１：Ｙ）、ｉをインクリメントして（Ｓ５０１２）、Ｓ５００６に戻りそれ以降の処理を繰り返す。一方で、Ｓ５０１１において、次のページがない場合には（Ｓ５０１１：Ｎ）、Ｎ部印刷したか否かを判定し（Ｓ５０１３）、Ｎ部印刷していない場合には（Ｓ５０１３：Ｎ）、後処理済みの用紙とはサイズが異なる識別用紙を、後処理出力トレイ４１０に出力された後処理済み用紙の上に挿入する（Ｓ５０１４）。また、Ｎ部印刷した場合には（Ｓ５０１３：Ｙ）、ユーザに後処理装置４０の後処理出力トレイ４１０に排紙されたＮ部の折り処理済みの用紙束を、給紙装置５０の後処理用紙挿入トレイ５０６に移動させる旨を指示して、印刷ジョブの処理を一時停止する。そして、ユーザにより後処理用紙挿入トレイ５０６にＮ部の折り処理済みの用紙束が配置された後に、ユーザから処理再開の入力を受け付けると、プリンタ２０は印刷ジョブの処理を再開し、図１６のフローに進む。図１５に示したフローからも明らかなように、後処理必要ページの印刷の前に、後処理済み用紙が製本の１部分ずつまとめられた状態で、後処理出力トレイ４１０にＮ部出力される。
【００９７】
図１６に示されるように、プリンタ２０は、印刷ジョブテーブルを参照するとともに（Ｓ６００１）、印刷ジョブに基づき印刷されるページＰｉ（ｉ＝１〜Ｋの整数でｉの初期値＝１）を選択する（Ｓ６００２）。
【００９８】
ここで、プリンタ２０は、印刷ジョブテーブルにおいてＰｉが印刷済みでない場合には（Ｓ６００３：Ｎ）、Ｐｉを印刷するとともに（Ｓ６００４）、印刷したＰｉを製本装置３０に搬送する（Ｓ６００５）。例えば、Ｐｉが表紙であれば製本装置３０の表紙用トレイ３０８に搬送し、Ｐｉが折り処理不要ページであれば製本装置３０の集積トレイ３１０に搬送することとしてよい。ここで、Ｓ６００４及びＳ６００５の処理の結果が、正常終了でない場合には（Ｓ６００６：Ｎ）、Ｓ６００４に戻り、正常終了となるまで（Ｓ６００６：Ｙ）、処理を実行する。
【００９９】
次に、プリンタ２０は、印刷ジョブテーブルにおいてＰｉが印刷済みである場合には（Ｓ６００３：Ｙ）、給紙装置５０の後処理用紙挿入トレイ５０６に集積されている用紙を１枚取り込み（Ｓ６００７）、取り込んだ用紙を製本装置３０の集積トレイ３１０に搬送する（Ｓ６００８）。ここで、Ｓ６００７及びＳ６００８の処理の結果が、正常終了でない場合には（Ｓ６００９：Ｎ）、Ｐｉを印刷するとともに（Ｓ６０１０）、印刷したＰｉを後処理装置４０に搬送する。そして、後処理装置４０は、搬送されたＰｉに折り処理を施した後に（Ｓ６０１１）、折り処理をしたＰｉを後処理出力トレイ４１０に排紙する。ここで、プリンタ２０は、給紙装置５０の後処理用紙挿入トレイ５０６からＰｉを挿入することが可能でない場合には（Ｓ６０１２：Ｎ）、待機し、可能となった場合には（Ｓ６０１２：Ｙ）、Ｓ６００７に戻る。なお、Ｓ６０１２において、後処理用紙挿入トレイ５０６からＰｉを挿入することが可能となったか否かは、例えばプリンタ２０の操作パネル部２１４でユーザに問い合わせをしてそのユーザからの入力に基づいて判定することとしてもよいし、後処理用紙挿入トレイ５０６に用紙が置かれたことを検知するセンサーを設けてそのセンサーの検知結果に基づいて判定することとしてもよい。
【０１００】
プリンタ２０は、Ｓ６００４及びＳ６００５の処理の結果が、正常終了である場合（Ｓ６００６：Ｙ）、又はＳ６００７及びＳ６００８の処理の結果が、正常終了である場合に（Ｓ６００９：Ｙ）、Ｐｉの次のページがあるか否か（すなわちｉ＝Ｋであるか否か）を判定し（Ｓ６０１３）、次のページがある場合には（Ｓ６０１３：Ｙ）、ｉをインクリメントして（Ｓ６０１４）、Ｓ６００３に戻りそれ以降の処理を繰り返す。一方で、Ｓ６０１３において、次のページがない場合には（Ｓ６０１３：Ｎ）、製本装置３０に集積された用紙に対して製本処理を実行する（Ｓ６０１５）。
【０１０１】
ここで、Ｎ部製本していない場合には（Ｓ６０１６：Ｎ）、後処理用紙挿入トレイ５０６から識別用紙を一枚取り除いた後に（Ｓ６０１７）、Ｓ６００２に戻り、それ以降の処理を繰り返す。また、Ｓ６０１６において、Ｎ部製本した場合には（Ｓ６０１６：Ｙ）、処理を終了する。
【０１０２】
上記の実施例３において、後処理用紙挿入トレイ５０６に集積される部ごとに識別用紙を挿入したことにより、識別用紙が誤って後処理済み用紙の代わりに製本装置に搬送された場合にはＳ６００９でエラーとなり製本処理が一時停止するため、部の区切りがずれてしまい誤った内容物の本が生成され難くなる。もちろん、第３の実施例において、識別用紙を挿入せずに複数部の製本を行うようにしても構わない。
【０１０３】
本発明は上記の実施形態に限定されるものではない。例えば、上記の実施形態では、プリンタ２０、給紙装置５０、製本装置３０、後処理装置４０の順に搬送経路を接続した例を説明したが、プリンタ２０、後処理装置４０、給紙装置５０、製本装置３０の順に搬送経路を接続しても構わないし、プリンタ２０、給紙装置５０、製本装置３０、後処理装置４０の間又はこれらの前後に他の装置（穴空け装置、ステープル装置、トリミング装置等）が接続されていても構わない。
【０１０４】
また、上記の実施形態において、給紙装置５０からの搬送枚数を計数して、搬送枚数が印刷データに含まれる後処理必要ページの枚数と合致しない場合には製本処理を実行しないように制御することとしてもよい。
【０１０５】
また、本実施形態では、後処理がＺ折り処理である場合に本発明を適用した例について説明したが、本発明は後処理後の用紙を直接に製本装置３０に搬送ができない種類の他の処理にも同様に適用可能である。
【符号の説明】
【０１０６】
１  製本システム、１０  クライアント装置、２０  プリンタ、３０  製本装置、４０  後処理装置、５０  給紙装置、１００  制御部、１０２  記憶部、１０４  通信部、１０６  入力制御部、１０８  表示制御部、２００  制御部、２０２  記憶部、２０４  通信部、２０８  画像形成部、２１０  給紙部、２１２  搬送部、２１４  操作パネル部、３００  制御部、３０２  記憶部、３０４  通信部、３０６  搬送部、３０８  表紙用トレイ、３１０  集積トレイ、３１２  製本部、３１４  製本出力トレイ、３５０Ａ〜Ｅ  搬送路、３６２  のり付け部、３６４断裁部、４００  制御部、４０２  記憶部、４０４  通信部、４０６  搬送部、４０８  後処理部、４１０  後処理出力トレイ、５００  制御部、５０２  記憶部、５０４  通信部、５０６  後処理用紙挿入トレイ、５０８  搬送部、Ｔ１〜Ｔｎ  トレイ。
【図１】
0005929336.tif 000002
【図２】
0005929336.tif 000003
【図３】
0005929336.tif 000004
【図４】
0005929336.tif 000005
【図５】
0005929336.tif 000006
【図６】
0005929336.tif 000007
【図７】
0005929336.tif 000008
【図８】
0005929336.tif 000009
【図９】
0005929336.tif 000010
【図１０】
0005929336.tif 000011
【図１１】
0005929336.tif 000012
【図１２】
0005929336.tif 000013
【図１３】
0005929336.tif 000014
【図１４】
0005929336.tif 000015
【図１５】
0005929336.tif 000016
【図１６】
0005929336.tif 000017